(57)【要約】【課題】本考案は特に大型犬の散歩中における無用な引つぱり等により飼い主が転倒して怪我をする事故を防止することを目的に、また外観も通常の首輪らしく、強力な引つぱりを抑制する効果の高い首輪を提供することである【解決手段】一般的な首輪の内側に一重または二重のワイヤーを取り付けて夫々犬の首の外周に接触させて犬が無用に飛び出して引つぱり現象が発生した場合に首輪と懸引ロープとの間でワイヤーが首に締め付けを起こし苦痛感を与えることにより犬が自然に引つぱりを止める機構を特徴とする【選択図】図１
0003128466.tif 000002
【実用新案登録請求の範囲】
【請求項１】
革製首輪の内側にワイヤーを一重に添わせて犬が無用に引っぱる場合、頚部に締め付け力を生じさせる事により苦痛を与え引っぱりを防止させることを特徴とした犬の首輪。
【請求項２】
革製首輪の内側にワイヤーを二重巻きに添わせて犬が無用に引っぱる場合、より強力に頚部に締め付け力を生じさせる事により苦痛を与え、凶暴な犬の引っぱりを防止させることを特徴とした首輪。
【請求項３】
革製首輪にワイヤーを添わせえる場合、部分的にワイヤー部が露見して虐待感を感じさせる為にワイヤーにビニール状のパイプを被覆することを特徴とした犬の首輪。
【考案の詳細な説明】
【技術分野】
【０００１】  本考案は、一般的な首輪の内側に金属製のワイヤーを添わせ、犬の首の外周を覆う様に取り付けられてあり、夫々一重巻きと二重巻きがあり、犬が無用に引つぱる場合に頚部に締め付け力を生じさせる機能を備えた首輪である。
【背景技術】
【０００２】  特に大型犬を散歩等で連れまわす場合、無用に引つぱられ女子、子供では転倒等の事故で容易に散歩が出来ない場合があり、犬の運動不足が懸念されていた、又従来の技術、及び商品を調査してもこれらを改善する為の分献が見あたらなかつた。
【考案の開示】
【考案が解決しようとする課題】
【０００３】  特に大型犬を散歩させる場合に訓練がなされていない犬は無用に引つぱり女子や子供または高齢者等の非力な者は転倒による怪我及び事故の会うことがあつた、又一部にはこれらを解決する為の鎖状の首輪が市販されてはいるが、とげとげしい金属部が露見されるために愛犬家には虐待感を感じさせる為に敬遠されていたがこれらの問題を問題を解決しようとするものである。
【課題を解決する手段】
【０００４】  本考案は、革製の首輪に内接するようにビニール状のパイプで被覆された金属製のワイヤーが取り付けられてあり犬の頚部に巻きつくように円形状をして、散歩中に犬が強く引つぱればワイヤーが頚部を締め付けることで犬に苦痛を与え引ぱりを抑制できる、また、ワイヤーはビニール製のパイプで覆われて尚且つ、革製の首輪の内側に取り付けてあるためにワイヤーが直接露見される事が無い為に愛犬家にも虐待感を与えることない構造にして問題を解決した。
【考案の効果】
【０００５】  上述の様に本考案は外観は通常の首輪にみえて内接して取り付けたワイヤーの締め付け効果により犬の引つぱり防止と愛犬家への虐待感を抑制できる効果がある。
【考案を実施するための最良の形態】
【０００６】  本考案は革製の首輪の内側に一重又は二重のビニール等に被覆されたワイヤーを取り付けたもので、その先端は散歩用のロープに連結出来るように必要に応じて着脱可能であり、散歩時に犬が無用に引つぱれば引っぱり力に見合う力が犬の首に締め付け力として作用する為に無用な引つぱりが抑制される。
【実施例】
【０００７】  以下、添付図面に従い実施例を説明する。「図１」は革製首輪の内側にワイヤーを一重に添わせた首輪の例で、「図２」は革製首輪の内側にワイヤーを二重に添わせた首輪の例を示します。【０００８】  図１に於いて革製首輪１には、ビニール状パイプ３に覆われたステンレス製のワイヤー２が２箇所の穴を貫通した状態で取り付いてあり夫々のワイヤーの端部はワイヤー連結用スリーブ４で強力に固定され犬の引つぱり力以上の耐力を保持してある、また連結用スリーブ４には犬の懸引用ロープである継ぎ手付きロープ５とが散歩時には結合される。またワイヤーを貫通させる穴の位置は革製首輪の任意の位置にあける事が出来る。【０００９】  図１に於いて、まず犬の首には革製首輪１の内側にステンレス製ワイヤー２を最大に広げた状態で取り付けると犬の動作でワイヤーが自然に首に密着される、通常はこの状態で安全な散歩が行われるわけですが、何かの拍子に犬が飛び出したり、騒いだりするとステンレス製のワイヤー２が引つぱられてワイヤー２の内径が小さく締め付けられて犬に苦痛感を与えることにより自然に引つぱりをしなくなる。【００１０】  図２に於いて革製首輪１には、ビニール状パイプ７に覆われたステンレス製のワイヤー６が２箇所の穴を貫通した状態で２重巻きした状態で取り付いてあり夫々のワイヤーの端部はワイヤー連結用スリーブ４で強力に固定され犬の引つぱり力以上の耐力を保持してある、また連結用スリーブ４には犬の懸引用ロープである継ぎ手付きロープ５とが散歩時には結合される【００１１】  図２に於いて、まず犬の首には革製首輪１の内側にステンレス製ワイヤー６を最大に広げた状態で取り付けると犬の動作でワイヤーが自然に首に密着される、通常はこの状態で安全な散歩が行われるわけですが、なにかの拍子に犬が飛び出したり、騒いだりするとステンレス製のワイヤー６が引つぱられてワイヤー６の内径が小さく締め付けられて犬に苦痛感を与えることにより自然に引つぱりをしなくなる、尚、犬が引つぱりを止めるとワイヤー６の復元性により締め付けは解除され犬にはく痛感を与えない為に通常の散歩は継続される、故に引つぱりをしなくなる。【００１２】  図１および図２共犬の首を必要以上に締め付けない様にワイヤー２及びワイヤー６には夫々ストツパー８がねじ９にて自由な位置に取り付け固定される為に各犬の首の大きさに応じて飼い主が締め付け加減を調整できる【００１３】  図１および図２共ワイヤーが犬の首に接触する部分は犬の怪我を防止する為にビニール状のパイプ３および７で覆われて保護してある、また、ストツパ８と革製首輪１との干渉部分にはスリ−ブ１０が取り付けてあり首輪の損傷を防止する。
【図面の簡単な説明】
【００１４】
【図１】本考案の一重にワイヤーを取り付けた実施例１を示す斜視図
【図２】    同上  Ａ−Ａ断面図
【図３】    同上  Ｃ−Ｃ断面図
【図４】本考案の２重にワイヤーを取り付けた実施例２を示す斜視図
【図５】    同上  Ｂ−Ｂ断面図
【図６】本考案実施例１の犬が引つぱつた状態図を示す
【図７】本考案実施例２の犬が引つぱつた状態図を示す
【符号の説明】
【００１５】  １革製首輪
２ステンレス製ワイヤー
３ビニールパイプ
４ワイヤー連結用スリーブ
５継ぎ手付きロープ
６ステンレス製ワイヤー
７ビニールパイプ
８ストツパー
９締め付けネジ
１０スリ−ブ
【図１】
0003128466.tif 000003
【図２】
0003128466.tif 000004
【図３】
0003128466.tif 000005
【図４】
0003128466.tif 000006
【図５】
0003128466.tif 000007
【図６】
0003128466.tif 000008
【図７】
0003128466.tif 000009
【手続補正書】
【提出日】平成18年10月13日(2006.10.13)
【手続補正１】
【補正対象書類名】実用新案登録請求の範囲
【補正対象項目名】全文
【補正方法】変更
【補正の内容】
【実用新案登録請求の範囲】
【請求項１】
革製首輪の内側に首にやさしいビニール等を被覆したワイヤーを一重または二重に添わせて、犬が無用に引っぱる場合に、ワイヤーが首輪内に設けた２ヶ所の穴から引き出され犬の頚部に締め付け力を生じさせることにより苦痛感を与え、引っぱりを防止させること、及び、ワイヤーの先端にロープが着脱出来ることを特徴とした犬の首輪。